(57)【要約】  【課題】複数の冷却システムの組立て性、作業性を向上させること。  【解決手段】コールド専用室３、コールド／ホット切替室２を冷却する冷却システムと、コールド／ホット切替室１を冷却加温するシステムを有する自動販売機において、それぞれのシステムを構成する部品のうち、機械室に配置する部品をユニットベース上で左右に分離して配置することで、それぞれのシステムの構成部品や配管が混在する部分がなくなるので識別しやすくなる、また、それぞれのシステムの部品がコンパクトに配置されるので、組立て性、作業性を向上することができる。【選択図】図３
2007122214.tif 000002
【特許請求の範囲】
【請求項１】
商品を収納するコールド室と、コールド／ホット切替室を有する自動販機において、コールド室を冷却する冷却システムと、コールド／ホット切替室を冷却加温する冷却加温システムの構成部品を前記冷却システムと前記冷却加温システムごとに左右に分けて配置したことを特徴とする自動販売機。
【請求項２】
少なくとも冷却システムの圧縮機、凝縮器、膨張弁の構成部品と、冷却加温システムの第１熱交換器、圧縮機、膨張弁、流路を切替える切替弁の構成部品とを左右に分けて配置したことを特徴とする請求項１に記載の自動販売機。
【請求項３】
冷却システムと冷却加温システムを構成する部品を分離した各ユニットベースに分けて配置したことを特徴とする請求項１または２に記載の自動販売機。
【請求項４】
冷却システムの冷媒配管と冷却加温システムの冷媒配管をフィンチューブ熱交換器で形成したカスケード熱交換器に左右方向から接続し、前記冷却システムの冷媒配管はカスケード熱交換器の一方より接続し、前記冷却加温システムの冷媒配管は他方より接続したことを特徴とする請求項１から３のいずれか一項に記載の自動販売機。
【発明の詳細な説明】
【技術分野】
【０００１】
本発明は、加温もしくは加温と同時に冷却を行う自動販売機において、加温、冷却システムの組立て性ならびにサービス時の作業性を向上させた自動販売機に関するものである。
【背景技術】
【０００２】
従来、冷凍ショーケースや冷凍庫等の冷凍機器を冷却するための低温用冷却システムと冷蔵ショーケースや冷蔵庫などの冷却を行う中温用冷却システムの圧縮機や制御盤を縦積みすることで複数の圧縮機や冷凍機器ユニットを有するシステムにおいて効率よく収納していた（例えば、特許文献１参照）。
【０００３】
図５は特許文献１における従来の冷凍システムのシステム図である。図５に示すように、従来の冷凍機器は４本の支柱３２，３２，３２，３２と、支柱３２の内側に支柱３２に対して直角に取り付けられる２枚の棚板３３、３３および天板３４と、制御部を内蔵した制御盤３５および制御盤取り付け用のサポート３６と、外周を覆っている化粧パネル３７により構成される架台３１を有する。また、架台３１の下段部分の棚板３３に中温用圧縮機３８および中温用受液器３９、中温用アキュムレータ、中温用冷凍機高低圧ゲージ、中温用冷凍機圧力スイッチが、中段部分の棚板３３には低温用圧縮機４０および低温用受液器４１、低温用冷凍機高低圧ゲージ、低温用冷凍機圧力スイッチが設けられ、低温用、中温用圧縮機３８、４０が縦積みした状態で収納される。
【０００４】
また、架台３１の上部には制御盤３５が取り付けられ、架台３１の上面に取り付けられた天板３４には、それぞれ前期冷蔵機器（中温用機器）に接続される中温用液管、中温用戻り管と、冷凍機器（低温用機器）に接続される低温用液管、低温用戻り管を挿通する通孔が設けられており、これらの配管は所定の機器に接続されている。
【０００５】
このように支柱３２と複数の棚板３３とにより架台３１を構成し、架台３１内に中温用機器、低温用機器を縦積みすることによって２台分の冷凍・冷蔵機器を冷凍サイクルの構成機器、１台分のスペースに設置することができるとともに、架台３１の外周に防音性の化粧パネル３７を取り付けることによって外観上の問題もなく、防音することが可能となる。
【０００６】
また、両冷凍サイクルを制御盤３５に設けたそれぞれの制御部で独立して制御することによって、除霜運転を行う際でも両冷凍サイクルが互いに干渉することを防止でき、安定した運転を行うことができる。
【特許文献１】特開平７−２６０３２１号公報
【発明の開示】
【発明が解決しようとする課題】
【０００７】
しかしながら、特許文献１に記載の構成だと２つの冷却ならびに冷凍システムを縦積みすることとなるので、高さが非常に高くなり、自動販売機においては商品を収納する区画を大きくとることができなくなるといった問題があった。
【０００８】
本発明は上記従来の課題を解決するものであって冷却、冷凍システムを構成する部品を高さが高くならないように配置するとともに、複数のサイクルの組立て性、作業性を向上させるものである。
【課題を解決するための手段】
【０００９】
上記従来の課題を解決するために本発明の自動販売機は、コールド室を冷却する冷却システムとは別のコールド／ホット切替室を冷却・加温する冷却加温システムを備え、それぞれのシステムを構成する部品のうち、商品を収納する区画以外に配置する部品をユニットベース上で左右に分離して配置することによって、システムの高さを抑えると共に冷却システムと、冷却加温システムの部品とが左右に分離されることによって、それぞれを構成する部品や配管の識別が容易になるので組立て時、サービス時の作業性向上につながる。
【００１０】
さらには、同一システムの部品をかためて配置することでそれら部品を連結する配管長さを短くすることができるので、システムをシンプルにすることができると共に冷媒封入量を減らすことが可能となる。
【発明の効果】
【００１１】
本発明の自動販売機は、システムの組立て性やサービス時における作業性を向上することができる。
【発明を実施するための最良の形態】
【００１２】
請求項１に記載の発明は、商品を収納するコールド室およびコールド／ホット切替室を有する自動販売機において、コールド室を冷却する冷却システムとコールド／ホット切替室を冷却加温する冷却加温システムの構成部品を前記冷却システムと前記冷却加温システムごとに分けて配置することによってまず同一システムの部品が近くに集まるので、各システムの構成部品の識別が容易になり、組立て性が向上する。さらにはサービス時においてもその作業性を向上することが可能である。また、同一システムの部品を近くにかためて配置することでシステムの構成部品を連結する配管の長さを短くすることができ、そのことによって封入する冷媒量の低減にもつなげることができる。
【００１３】
請求項２に記載の発明は、請求項１に記載の発明にさらに、少なくとも冷却システムの圧縮機、凝縮器、膨張弁の構成部品と冷却加温システムの第１熱交換器、圧縮機、膨張弁、流路を切替える切替弁の構成部品を左右に分けて配置することで、各システムの構成部品の識別が容易になるので、組立て時、メンテナンスなどの作業時のミスを減らすことが可能となる。
【００１４】
請求項３に記載の発明は、請求項１または２に記載の発明にさらに、冷却システムと冷却加温システムを構成する部品を分離した各ユニットベースに分けて配置したことで、２つのシステムをひとつのユニットベースに配置するよりも個々のユニットベースの小型化、軽量化が可能となるので、ユニットベースの運搬ならびに引き出しなどを容易に行うことができる。また、どちらか片側のシステムに故障が起こった際や、片側のシステムだけメンテナンスを行う際にユニットベースの引き出しが容易になり、修理、メンテナンスをより容易に行うことが可能となる。
【００１５】
請求項４に記載の発明は、請求項１から３のいずれか一項に記載の発明にさらに、冷却システムの冷媒配管と冷却加温システムの冷媒配管をフィンチューブ熱交換器で形成したカスケード熱交換器に左右方向から接続し、冷却システムの冷媒配管は前記カスケード熱交換器の一方より接続し、冷却加温システムの冷媒配管を他方より接続することによって、それぞれのシステム配管の熱交換器入口出口の識別が容易になるので、組立て時の配管取り付け位置の間違いを減らすことができる。
【００１６】
（実施の形態１）
図１は、本発明の実施の形態１における自動販売機の冷媒配管図、図２は同実施の形態の自動販売機の機械室内ユニットベース上での構成部品の配置を示した概略図である。図１において本実施の自動販売機は貯蔵室としてコールド専用室３とホット／コールド切替室１，２とを備え、コールド専用室３、コールド／ホット切替室２内に設置した蒸発器６，５と商品を収納する区画の下部に設けた機械室内に設置した圧縮機７、凝縮器８と膨張機構である膨張弁９、１０とそれらを環状に連結した配管よりなる冷却システムと、コールド／ホット切替室１内に設置された第２熱交換器４と、貯蔵室の下部に設けた機械室内に設置された圧縮機１１、第１熱交換器１２、冷却時と加温時に冷媒流路を切替える切替弁１３、コールド／ホット切替室用膨張機構である膨張弁１４とそれらを環状に連結した配管よりなる冷却加温システムとを有する。
【００１７】
ここで、第２熱交換器４、第１熱交換器１２はフィンチューブ熱交換器で構成され、冷却加温システムの加温時は第２熱交換器４が凝縮器、第１熱交換器１２が蒸発器として、冷却時は第２熱交換器４が蒸発器、第１熱交換器１２が凝縮器として作用する。
【００１８】
また、第２熱交換器、蒸発器、第１熱交換器近傍には熱交換促進のためにファン１５が設置されていて、強制対流による熱交換が可能である。
【００１９】
ここで、図２において冷却システムを構成する部品である圧縮機７、凝縮器８は機械室に設置されたユニットベース１７上のコールド専用室３側である前方から向かって左側に、冷却加温システムを構成する部品である圧縮機１１、室外熱交換器１２、四方切替弁１３はユニットベース上のコールド／ホット切替室１側である前方から向かって右側にユニットベース上で分離して配置されている。
【００２０】
このようにユニットベース１７上で、冷却システムを構成する部品と冷却加温システムを構成する部品とを左右に分離して配置することでまず、その組立て時に配管が混在する部分がなくなり、組立てやすくなるのと配管混在による配管の連結間違いを防ぐことができるとともに、サービス時、メンテナンス時においてもその作業性を向上することができる。また、それぞれのシステムを構成する部品が近くに固められるのでそれらを連結する配管の長さを短くすることができ、外観がシンプルになることで部品、配管の識別が容易になると共に、配管長さが短くなることで封入する冷媒量を減らすことが可能となる。
【００２１】
（実施の形態２）
図３は、本発明の実施の形態２における自動販売機の機械室内の概略図である。図３のように冷却システムと冷却加温システムのうち、貯蔵室に設置する蒸発器５，６、第２熱交換器以外の構成部品をそれぞれシステムごとに機械室内の別々のユニットベース１８、１９上に配置し、ユニットベースごと分離することによって、ひとつのユニットベースに２つのサイクル構成部品を配置することと比較して、それぞれのユニットベースをより小型化、軽量化できることとなり、特にサービス時や故障時などにおいて片側のシステムのみをメンテナンス、修理する際にその作業性を向上することが可能となる。
【００２２】
（実施の形態３）
図４は、本発明の実施の形態３における自動販売機の機械室内の概略図である。図４において冷却システムの配管と冷却加温システムの配管とを左右より接続したカスケード熱交換器２０を設置し、一方より冷却システムの配管を、他方より冷却加温システムの配管を通す。このことによって、まずカスケード熱交換器を用いることで２つあった室外熱交換器をひとつにすることができ、コストの低減を図ることができる。さらに、冷却加温システムでコールド／ホット切替室１を加温する際にカスケード熱交換器は蒸発器として働き、外気温よりも低温となるので機械室内での結露が懸念されるが、冷却システムが運転する際には冷却システムからの熱移動によってフィンが加熱され、カスケード熱交換器からの結露を抑制することが可能となる。さらに、一方より冷却システムの配管を、他方より冷却加温システムの配管を通すことによって、片側より両方の配管を通すよりもシステムごとの配管を識別しやすく組立て性やサービス時の作業性を向上することが可能となる。
【産業上の利用可能性】
【００２３】
以上のように、本発明にかかる自動販売機は複数の冷却システムの組立て性、作業性を向上することができるので、業務用冷蔵庫等の用途にも適用できる。
【図面の簡単な説明】
【００２４】
【図１】本発明の実施の形態１における自動販売機の冷媒配管図
【図２】本発明の実施の形態１における自動販売機の機械室概略図
【図３】本発明の実施の形態２における自動販売機の機械室概略図
【図４】本発明の実施の形態３における自動販売機の機械室概略図
【図５】従来の複数サイクルを収納する架台概略図
【符号の説明】
【００２５】
１    コールド／ホット切替室
２    コールド／ホット切替室
３    コールド専用室
４    第２熱交換器
５    蒸発器
６    蒸発器
７    圧縮機（冷却システム）
８    凝縮器（冷却システム）
９    膨張弁
１０  膨張弁
１１  圧縮機（冷却加温システム）
１２  第１熱交換器（冷却加温システム）
１３  切替弁
１４  膨張弁
１７  ユニットベース
１８  ユニットベース
１９  ユニットベース
２０  カスケード熱交換器
【図１】
2007122214.tif 000003
【図２】
2007122214.tif 000004
【図３】
2007122214.tif 000005
【図４】
2007122214.tif 000006
【図５】
2007122214.tif 000007